(57)【要約】【課題】容器に連結可能な蓋において、装飾効果を達成できる容器用蓋を提供する。【解決手段】容器本体１を備え、容器本体１の上下端面には蓋２を連接するための連接段１１が設けてあり、蓋２の密封空間内２５には、水と、比重が１より大きく熱伝導性が良いアルコール系液体と、少量の装飾材２３とが設けてあり、容器本体１の温度が変化すると、水と、アルコール系液体と、装飾材２３とが対流状態になる。【選択図】図２
0003126470.tif 000002
【実用新案登録請求の範囲】
【請求項１】
容器本体を備え、
前記容器本体の上下端面には蓋を連接するための連接段が設けられ、
前記蓋の密封された空間内には、水と、比重が１より大きく熱伝導性が良いアルコール系液体と、少量の装飾材とが設けられ、前記容器本体の温度が変化すると、水と、アルコール系液体と、装飾材とが対流可能であることを特徴とする容器用蓋。
【請求項２】
前記蓋の密封空間内には、対流状態の時間を延長するための添加物が添加されていることを特徴とする請求項１に記載の容器用蓋。
【請求項３】
前記蓋の密封空間内に添加される添加物は、塩と活性剤との混合物であり、前記添加物により、前記蓋の密封空間内にある液体の温度の降下速度が低下することを特徴とする請求項２に記載の容器用蓋。
【請求項４】
前記蓋の密封空間内にはカラーの立体模様が設けられていることを特徴とする請求項１に記載の容器用蓋。
【請求項５】
前記装飾材は金葱片であることを特徴とする請求項２に記載の容器用蓋。
【請求項６】
前記連接段は前記容器本体に設けられた第一磁石組で構成され、前記蓋には前記連接段に対応する第二磁石組が設けられていることを特徴とする請求項１に記載の容器用蓋。
【請求項７】
前記容器本体と前記蓋とは嵌合方式により互いに連接されていることを特徴とする請求項１に記載の容器用蓋。
【請求項８】
前記容器本体と前記蓋とは螺合方式により互いに連接されていることを特徴とする請求項１に記載の容器用蓋。
【考案の詳細な説明】
【技術分野】
【０００１】
本考案は、容器用蓋の構造に係り、特に、容器に連結可能な蓋は、容器内の液体と、その密封空間の内容物との温度差により、その密封空間内の内容物が対流状態になる容器用蓋に関するものである。
【背景技術】
【０００２】
一般の装飾効果を持つ装飾品６は、図６に示すように、製造の過程において、装飾品６の裏壁で形成される空間内に、異なった色彩を持つ顔料、又は装飾部品６１が入れられ、これにより、多様な色彩を持ち装飾効果を有する装飾品６が形成される。
ある業者は上記のものを容器７に適用し、図７に示すように、製造の過程において、容器の裏壁７２と外周壁７３とにより形成される空間内に、異なった色彩を持つ顔料と、装飾部品７１を入れることにより、多様な色彩を持ち装飾効果を有する容器７を形成する。
【考案の開示】
【考案が解決しようとする課題】
【０００３】
しかしながら、上記容器は、外力を加えないと（例えば手で揺動させないと）、内容物が流動せず、すなわち、装飾効果を達成することができない。
本考案の主な目的は、容器に連結可能な蓋において、容器内の液体と、その密封空間の内容物との温度差により、その密封空間内の複数の組成物が比重と熱伝導係数との差で対流状態になり、装飾効果を達成できる容器用蓋を提供する。
【課題を解決するための手段】
【０００４】
上記目的を達成するためになされた本考案は、容器本体を備え、前記容器本体の上下端面には蓋を連接するための連接段が設けてあり、前記蓋の密封空間内には、水と、比重が１より大きく熱伝導性が良いアルコール系液体と、少量の装飾材とが設けてあり、前記容器本体の温度が変化すると、水と、アルコール系液体と、装飾材とが対流状態になることを特徴とする容器用蓋であることを要旨としている。
（考案の効果）
本考案の容器用蓋によれば、容器に連結可能な蓋は、容器内の液体と、その密封空間の内容物との温度差により、その密封空間内の複数の組成物が比重と熱伝導係数との差で対流状態になり、キラキラの流動感が溢れた装飾効果を達成することができる。
【考案を実施するための最良の形態】
【０００５】
以下、添付図面を参照して本考案の好適な実施の形態を詳細に説明する。
まず、図１乃至図３を参照する。本考案の第一実施例による容器用蓋は、図１に示すように、容器本体１を備え、前記容器本体１の上下端面には蓋２を連接するための連接段１１が設けてあり、本実施例では、前記連接段１１は前記容器本体１に設けられた第一磁石組で構成され、前記蓋２には前記連接段１１に対応する第二磁石組２１が設けてあり、これにより、前記蓋２と前記容器本体１とは互いに連結することができる。前記蓋２は密封空間２５を有し、前記密封空間２５内には、カラーの立体模様が若干設けてあり、且つ熱伝導性が良くて熱伝導係数および比重が異なった複数の液体と、少量の装飾材２３とが入れてある。前記液体は、水と、比重が１よりも大きいアルコール系液体と、他の添加物とがあり、本実施例では、前記液体は、水が８０〜９０％、アルコール系液体が１０〜１５％の組成であり、前記液体と前記装飾材２３が前記蓋２の密封空間２５に入れられ、且つ前記装飾材２３はＰＥＴ材質の金葱片である。これにより、容器本体１に連結可能な蓋２は、容器本体１内の液体と、その密封空間２５の内容物との温度差により、その密封空間２５内の複数の組成物（すなわち、水とアルコール系液体）が比重と熱伝導係数との差で対流状態になり、金葱片が流動状態になり、したがって、装飾効果を達成することができる。
【０００６】
また、図２に示すように、前記容器本体１には第一磁石組が設けてあり、使用時には、お湯を前記容器本体１に入れて、前記蓋２によって前記容器本体１を被って、前記第一磁石組と第二磁石組２１との連結により、前記蓋２と前記容器本体１とが結合して一体になる。これにより、前記容器本体１に入れたお湯の熱が前記蓋２に伝導され、前記蓋２の底面の温度が上昇すると、前記蓋２の密封空間２５内の底層に位置し比重が水よりも小さいアルコール系液体が加熱され、熱対流原理により、金葱片がアルコール系液体の流動に駆動されて徐々に上がり、また、金葱片が上層の水に接触すると、金葱片の比重は水よりも大きいので、金葱片が逆に下がり、したがって、前記蓋２の密封空間２５内で金葱片がサイクルで移動し、そして水とアルコール系液体との比重が異なるので、水とアルコール系液体とが鮮明に分けられ、また、前記密封空間２５内に立体模様２４が設けてあり、これにより、本実施例はキラキラの流動感が溢れ、装飾効果は極めて優れる。
【０００７】
また、本実施例は、容器本体１に入れた液体の温度によって、容器本体１と蓋２との連接方式を変更することができる。すなわち、冷たい水を前記容器本体１に入れた場合には、前記蓋２が前記容器本体１の底部に連接され、そうすると、前記蓋２の密封空間２５内の液体の温度が前記容器本体内の冷たい水よりも高いので、熱対流原理により、金葱片がアルコール系液体の流動に駆動されて徐々に上がり、また、金葱片が上層の水に接触すると、金葱片の比重は水よりも大きいので、金葱片が逆に下がり、これにより、図３に示すように、前記蓋２の密封空間２５内で金葱片がサイクルで移動する。
更に、本実施例の蓋の密封空間に若干の添加物を添加してもよく、例えば水が８０〜９０％であり、アルコール系液体が１０〜１５％である配合の液体に塩と活性剤とを混入し、そうすると、金葱片の降下時間がもっと長くなり、ひいては金葱片の流動サイクルも長くなる。
【０００８】
また、図４に示すのは本考案の第二実施例であり、当該容器本体３と蓋体３１とは嵌合方式で連接し、そうしても、前記蓋３の密封空間３２内で金葱片がサイクルで移動でき、且つキラキラの流動感が溢れた装飾効果を達成することができる。
また、図５に示すのは本考案の第三実施例であり、当該容器本体４と蓋体４１とは螺合方式で連接し、そうしても、前記蓋３の密封空間３２内で金葱片がサイクルで移動でき、且つキラキラの流動感が溢れた装飾効果を達成することができる。
上記では、種々の実施の形態および変形例を説明したが、本考案はこれらの内容に限定されるものではない。本考案の技術的思想の範囲内で考えられるその他の態様も本考案の範囲内に含まれる。
【図面の簡単な説明】
【０００９】
【図１】本考案の第一実施例による容器用蓋の組み合わせ状態の斜視図である。
【図２】本考案の第一実施例による容器用蓋の組み合わせ状態の断面図である。
【図３】本考案の第一実施例による容器用蓋の組み合わせ状態の断面図である。
【図４】本考案の第二実施例による容器用蓋の組み合わせ状態の断面図である。
【図５】本考案の第三実施例による容器用蓋の組み合わせ状態の断面図である。
【図６】従来の装飾効果を持つ装飾品を示す模式図である。
【図７】従来の装飾効果を持つ容器の断面を示す模式図である。
【符号の説明】
【００１０】
１  容器本体、１１  連接段、２  蓋、２１  第二磁石組、２２  液体、２３  装飾材、２４  立体模様、２５  密封空間、３  容器本体、３１  蓋、３２  密封空間、４  容器本体、４１  蓋
【図１】
0003126470.tif 000003
【図２】
0003126470.tif 000004
【図３】
0003126470.tif 000005
【図４】
0003126470.tif 000006
【図５】
0003126470.tif 000007
【図６】
0003126470.tif 000008
【図７】
0003126470.tif 000009